(57)【特許請求の範囲】
【請求項１】
スイッチギヤ本体内において隣合うスイッチギヤの制御配線に接続される配線モジュールと、
スイッチギヤ本体内に収納されて電源回路に接続される遮断器と、
前記遮断器を制御及び制御の状態を表示する表示／制御器と、
前記遮断器の投入条件を規定するインターロック回路と、
前記配線モジュール、遮断器、表示／制御器及びインターロック回路にそれぞれ個別に接続する複数のコネクタを有し、前記各コネクタ間を所定の結線で接続して前記配線モジュール、遮断器、表示／制御器及びインターロック回路の相互間を接続するとともに前記各コネクタの相互間を接続する前記所定の結線の一部の結線間は、互いに電気的に接続される接続回路を構成するI/F モジュールとを備え、
前記配線モジュール、遮断器、表示／制御器及びインターロック回路と前記I/F モジュールの各コネクタとの間は、それぞれ所定距離だけ分離して接続することが可能な接続線で接続してあることを特徴とするスイッチギヤ。
【発明の詳細な説明】
【０００１】
【発明の属する技術分野】
本発明はスイッチギヤに関する。
【０００２】
【従来の技術】
図７は従来のスイッチギヤの前面扉を開いた状態の模式的斜視図である。
金属閉鎖形のスイッチギヤは、前面扉１ａを有する箱体１内の中央部に電源回路に接続される遮断器２が配置され、箱体１内の一側面に、外部との信号を受信／出力する外部端子台３及び上下方向へ延びる整線用のダクト４が配置されており、箱体１内の他側面に前記遮断器２を制御する電気機器を制御電源に接続／遮断するための制御電源用遮断器５と、遮断器２が遮断動作したとき接点が閉じて開閉状態表示器６を点灯させるラッチリレー７と整線用のダクト８とが配置されており、また、箱体１内の上部には左右方向へ延びるダクト９が配置されている。
【０００３】
前面扉１ａには、電源回路の電圧、電流、負荷電力を表示する電圧計、電流計、電力計等の誘導式のメーター１０と、複数の故障表示器１１と、遮断器２の状態を表示する開閉状態表示器６と、遮断器２を開閉する複数の開閉用コントロールスイッチ１２と、遮断器２と故障表示器１１と開閉状態表示器６等とを制御するための複数の補助リレー１３と、過電流継電器１４ａ及び地絡継電器１４ｂ等の誘導式の保護継電器１４とが夫々上部から下側へ適宜の間隔を隔てて順次配置されており、また、最下部には前記メーター１０及び保護継電器１４等の出力を試験するための試験用端子１５が配置されている。
【０００４】
また、前面扉１ａの箱体１との連結側端部には上下方向へ延びるダクト１６が配置され、該ダクト１６に、前記メーター１０及び保護継電器１４に沿って延びる一対のダクト１７，１７が結合されている。メーター１０、故障表示器１１、開閉状態表示器６、開閉用コントロールスイッチ１２、補助リレー１３及び保護継電器１４に接続される接続線は前記ダクト１６，１７内で整理され、これら接続線が前記ダクト８内で整理された接続線に接続され、前記遮断器２の動作状態の情報は接続線を経由して開閉状態表示器６で表示される。また、前記ダクト４，１６の間を隣り合うスイッチギヤに接続される接続線が通っている。
【０００５】
図８は図７のスイッチギヤの三線接続図、図９は図７のスイッチギヤの展開接続図である。図８において、Ｒ相、Ｔ相に設置された計器用変流器１８によって誘導された電流は過電流継電器１４ａを介して前記試験用端子１５を通り、電圧計、電流計、電力計等のメーター１０へと繋がる閉回路を還流する。また、遮断器２が接続された電源回路の各相電流を検出する零相変流器１９からの零相電流と零相電圧の信号が地絡継電器１４ｂへ取込まれる。図９において、開閉用コントロールスイッチ１２は、遮断器２を投入する際の投入条件を規定するインターロック回路１２ａを有している。尚、図９において、２７ａは前記開閉状態表示器６を動作させるための遮断状態表示用接点、２７ｂは前記故障表示器１１を動作させるための故障表示用接点である。
【０００６】
遮断器２には遮断器用モータ２ａ、投入用コイル２ｂ及びトリップコイル２ｃを有しており、投入用コイル２ｂ及びトリップコイル２ｃが励磁されることによって夫々オン動作又はオフ動作し、保護継電器１４が動作して遮断器２がトリップするように結線されている。
【０００７】
以上の如くスイッチギヤに組み込まれる制御回路装置は、制御電源用遮断器５、ラッチリレー７、メーター１０、故障表示器１１、開閉状態表示器６、開閉用コントロールスイッチ１２、補助リレー１３、保護継電器１４、計器用変流器１８、零相変流器１９等の電気機器が接続された構成となっている。
【０００８】
【発明が解決しようとする課題】
従来にあっては、作業者が制御回路装置をスイッチギヤに組込むとき、制御電源用遮断器５等の電気機器の全てに作業者が接続線を一本づつ接続しているため、結線が複雑であり、結線作業性の改善が望まれていた。また、制御回路装置をスイッチギヤに組込んだ後においては、全ての電気機器の出力確認を行う必要があるため、出力の確認が煩雑であり、出力確認作業性の改善も望まれていた。
【０００９】
本発明は斯かる事情に鑑みてなされたものであり、スイッチギヤを発注するユーザーによって仕様が全く変わらない接続回路と、ユーザーによって仕様が変わる電気機器とに区別し、仕様が変わらない接続回路をモジュール（以下I/F モジュールという）とし、このI/F モジュールに仕様が変わる電気機器を接続することにより、I/F モジュールを予め独立して組立て、予め準備することができるとともに、I/F モジュールを予め単独で出力確認することができ、制御回路装置をスイッチギヤに組込むときの結線作業性及び出力確認作業性を改善できるスイッチギヤを提供することを目的とする。
【００１０】
また、前記I/F モジュールに電気機器をコネクタによって接続したり、他機に接続される複数の配線を有する配線モジュールに前記モジュールを接続したりすることにより、制御回路装置をスイッチギヤに組込むときの配線の誤りを少なくすることができるスイッチギヤを提供することを目的とする。
【００１１】
【課題を解決するための手段】
本発明に係るスイッチギヤは、スイッチギヤ本体内において隣合うスイッチギヤの制御配線に接続される配線モジュールと、スイッチギヤ本体内に収納されて電源回路に接続される遮断器と、前記遮断器を制御及び制御の状態を表示する表示／制御器と、前記遮断器の投入条件を規定するインターロック回路と、前記配線モジュール、遮断器、表示／制御器及びインターロック回路にそれぞれ個別に接続する複数のコネクタを有し、前記各コネクタ間を所定の結線で接続して前記配線モジュール、遮断器、表示／制御器及びインターロック回路の相互間を接続するとともに前記各コネクタの相互間を接続する前記所定の結線の一部の結線間は、互いに電気的に接続される接続回路を構成するI/F モジュールとを備え、前記配線モジュール、遮断器、表示／制御器及びインターロック回路と前記I/F モジュールの各コネクタとの間は、それぞれ所定距離だけ分離して接続することが可能な接続線で接続してあることを特徴とする。
【００１７】
【発明の実施の形態】
以下本発明をその実施の形態を示す図面に基づいて詳述する。
図１は表示，保護及び制御機能を有する電子式の表示／制御器にI/F モジュールを適用したスイッチギヤの構成を示す前面扉を開放した状態の斜視図である。
【００１８】
金属閉鎖形のスイッチギヤは、前面扉１ａを有する箱体１内の中央部に電源回路に接続される遮断器（ＶＣＢ）２が配され、この遮断器２の上側に計器用変流器（ＣＴ）１８及び零相変流器（ＺＣＴ）１９等の電源回路の電流を検出する電流センサ２０が配され、この電流センサ２０の上側に他機に接続される、換言すると隣合うスイッチギヤに接続される複数の配線を有し、盤間渡りの役割をする配線モジュール２１が配されているスイッチギヤ本体を備える。
【００１９】
箱体１内の一側面には前記遮断器２、電流センサ２０等の複数の電気機器が接続される複数の接続回路２３をモジュールとしてなるI/F モジュールＡが配され、このI/F モジュールＡの下側に遮断器２を制御するための複数の補助リレー１３が配置され、この補助リレー１３の下側に外部との信号を受信／出力する外部端子台３が配置されている。また、前面扉１ａには前記遮断器２を制御及び制御の状態を表示する表示／制御器２２が配されている。この表示／制御器２２は、電源回路の電圧、電流、負荷電力を表示する電圧計、電流計、電力計等メーター、遮断器２の状態を表示する開閉状態表示器、遮断器２を開閉する複数の開閉用コントロールスイッチ、過電流継電器等の電気機器によって構成されている。
【００２０】
図２はI/F モジュールに電気機器を接続した構成を示す接続ブロック図、図３は制御回路装置を構成する電気機器の一部を抽出してなるI/F モジュールの斜視図、図４はこのI/F モジュール内の回路図である。
【００２１】
スイッチギヤを発注するユーザーによって仕様が変わらない複数の接続回路２３と、遮断器２を制御するのに必要な電源を供給するための制御電源５と、前記遮断器２に接続される電気機器の出力を試験するための試験用端子１５と、これら制御電源５及び試験用端子１５又は他の接続線を介して接続されたコネクタ２４とをI/F モジュールＡとしてある。
【００２２】
このI/F モジュールＡは１台の遮断器２につき１つあり、該I/F モジュールＡにユーザーによって仕様が変わる遮断器２、計器用変流器（ＣＴ）１８及び零相変流器（ＺＣＴ）１９等の電流センサ２０、表示／制御器２２等の電気機器が夫々コネクタ２４…によって接続してある。このようにコネクタ２４…によって複数の電気機器が接続されたI/F モジュールＡはコネクタ２４によって配線モジュール２１に接続される。また、接点２５、２６はユーザが特殊な接点情報を必要とした場合に、接点をつなぎ込んだ例を示すものである。
【００２３】
図４において、ＣＮ１〜ＣＮ６がコネクタ２４であり、ＢＨ−Ｋが制御電源５、Ｔ・Ｔが試験用端子１５である。
【００２４】
図５はI/F モジュールを１点鎖線で囲った三線接続図である。図５では、Ｒ相、Ｔ相に設置された前記計器用変流器（ＣＴ）１８によって誘導された電流は試験用端子１５を通り、前記した従来と同様の保護継電器及びメーターの機能を兼ねる表示／制御器２２へと繋がる閉回路を還流する。また、前記零相変流器（ＺＣＴ）１９からの零相電流と零相電圧の信号が前記した従来と同様の地絡継電器の機能を兼ねる表示／制御器２２へ取込まれる。
【００２５】
図６は図１のスイッチギヤの展開接続図である。図６において、遮断器２を投入する接点は、遮断器２を投入する際の投入条件を規定するインターロック回路を外部で構成することができるようになっている。また、図６において、太線の１点鎖線で囲まれたI/F モジュールＡ以外の部分がI/F モジュールＡ以外の電気機器である。
【００２６】
以上の如くスイッチギヤに組み込まれる制御回路装置は、制御電源５及び試験用端子１５を内蔵したI/F モジュールＡに、遮断器２、電流センサ２０、表示／制御器２２等の電気機器が夫々コネクタ２４…によって接続されるとともに、接点２５，２６が接続された構成となっている。この制御回路装置のI/F モジュールＡがコネクタ２４によって配線モジュール２１に接続される。
【００２７】
尚、上記実施の形態では表示／制御器２２が１体のものを示したが、表示器と制御器とは夫々別の機器として分離されたものであってもよい。
また、上記実施の形態ではI/F モジュールＡが制御電源５及び試験用端子１５を備えた構成としたが、これら制御電源５及び試験用端子１５はユーザーによって仕様が変わることもあるため、制御電源５及び試験用端子１５を接続回路２３とともにI/F モジュールＡとする必要はない。
【００２８】
【発明の効果】
本発明によれば、ユーザーによって仕様が全く変わらない接続回路と、ユーザーによって仕様が変わる電気機器とに区別し、仕様が変わらない接続回路をモジュールとし、このモジュールを遮断器、表示／制御器、電流センサの間に配し、このモジュールに仕様が変わる電気機器を接続してあるため、モジュールを予め独立して組立て、予め準備することができるとともに、モジュールを予め単独で出力確認することができ、制御回路装置をスイッチギヤに組込むときの結線作業性及び出力確認作業性を改善できる。
しかも、モジュールに遮断器と、表示／制御器と、電流センサとをコネクタによって接続するため、遮断器、表示／制御器、電流センサを接続するときの配線の誤りを少なくできる。
【００２９】
また、本発明によれば、モジュールに複数の電気機器をコネクタによって接続するため、複数の電気機器を接続するときの配線の誤り、及び制御回路装置をスイッチギヤに組込むときの配線の誤りを夫々少なくできる。
【００３１】
また、本発明によれば、複数の接続回路を有するI/F モジュールが、複数の配線を有する配線モジュールに接続されるため、制御回路装置をスイッチギヤに組込むときの結線作業性をより一層改善できる。
【００３２】
また、本発明によれば、I/F モジュールに配線モジュールと、遮断器と、表示／制御器と、インターロック回路とをコネクタによって接続するため、配線モジュール、遮断器、表示／制御器、インターロック回路を接続するときの配線の誤りを少なくできる。
【図面の簡単な説明】
【図１】  本発明に係るスイッチギヤの構成を示す前面扉を開放した状態の斜視図である。
【図２】  本発明に係る制御回路装置のI/F モジュールに電気機器を接続した構成を示す接続ブロック図である。
【図３】  本発明に係る制御回路装置を構成する電気機器の一部を抽出してなるI/F モジュールの斜視図である。
【図４】  本発明に係る制御回路装置のI/F モジュール内の回路図である。
【図５】  本発明に係る制御回路装置のI/F モジュールを１点鎖線で囲った三線接続図である。
【図６】  図１のスイッチギヤの展開接続図である。
【図７】  従来のスイッチギヤの前面扉を開いた状態の模式的斜視図である。
【図８】  従来のスイッチギヤの三線接続図である。
【図９】  図７のスイッチギヤの展開接続図である。
【符号の説明】
２０  電流センサ、２１  配線モジュール、２２  表示／制御器、２３  接続回路、２４  コネクタ、Ａ  モジュール。
【図１】
0004301658.tif 000002
【図２】
0004301658.tif 000003
【図３】
0004301658.tif 000004
【図４】
0004301658.tif 000005
【図５】
0004301658.tif 000006
【図６】
0004301658.tif 000007
【図７】
0004301658.tif 000008
【図８】
0004301658.tif 000009
【図９】
0004301658.tif 000010